(57)【要約】【課題】共振回路を利用した駆動回路によって電極の駆動を行い、維持放電において、それ以降の維持放電を安定して発生させるに十分な壁電圧を放電セル内に安定して形成することで、安定な維持放電を実現する。【解決手段】走査電極へ印加する維持パルス電圧ＶｓＡを維持電極へ印加する維持パルス電圧ＶｓＢよりも高い電圧値にして走査電極へ印加する維持パルス波形の立ち上がりエッジを維持電極へ印加する維持パルス波形の立ち下がりエッジよりも急峻にし、走査電極へ印加する維持パルス波形の立ち上がりエッジが維持電極へ印加した維持パルス波形の立ち下がりエッジよりも時間的に遅くなるようにして、走査電極に印加された維持パルス電圧の立ち上がり時に、放電セル内に印加された電圧が放電開始電圧よりも大きくなるようにする。【選択図】図７
2006259061.tif 000002
【特許請求の範囲】
【請求項１】
第１の基板上に平行に配置されかつ表示電極対を構成する複数の走査電極および維持電極と、放電空間を挟んで前記第１の基板に対向配置された第２の基板上に前記走査電極と交差する方向に配置されかつ前記表示電極対とで放電セルを構成する複数のデータ電極とを有するプラズマディスプレイパネルと、
前記走査電極の容量性負荷に蓄積された電力をコンデンサに回収し、その回収された電力を前記走査電極の駆動電力として再利用する共振回路を有する走査電極駆動回路と、
前記維持電極の容量性負荷に蓄積された電力をコンデンサに回収し、その回収された電力を前記維持電極の駆動電力として再利用する共振回路を有する維持電極駆動回路と、
前記データ電極を駆動するデータ電極駆動回路とを備え、
書込み期間および維持期間を有するサブフィールドの前記維持期間において、前記走査電極駆動回路および前記維持電極駆動回路は、互いに異なる電圧値の維持パルス電圧を前記走査電極および前記維持電極に交番してそれぞれ印加するように構成した
ことを特徴とするプラズマディスプレイ装置。
【請求項２】
前記維持期間において、前記走査電極駆動回路は、前記維持電極駆動回路が前記維持電極に印加する維持パルス電圧よりも高い電圧値の維持パルス電圧を前記走査電極に印加し、前記維持電極駆動回路によって前記維持電極へ印加された維持パルス電圧の立ち下がりの後で前記走査電極へ印加する維持パルス電圧を立ち上がらせ、かつ前記維持電極駆動回路によって前記維持電極へ印加される維持パルス電圧の立ち上がりの前に前記走査電極へ印加した維持パルス電圧を立ち下がらせて、
少なくとも、前記走査電極駆動回路によって前記走査電極へ印加される維持パルス電圧の立ち上がり時に、前記放電セルへの印加電圧が放電開始電圧を超えるようにした
ことを特徴とする請求項１記載のプラズマディスプレイ装置。
【請求項３】
前記維持期間において、前記維持電極駆動回路は、前記走査電極駆動回路が前記走査電極に印加する維持パルス電圧よりも高い電圧値の維持パルス電圧を前記維持電極に印加し、前記走査電極駆動回路によって前記走査電極へ印加される維持パルス電圧の立ち上がりの後で前記維持電極へ印加した維持パルス電圧を立ち下がらせ、かつ前記走査電極駆動回路によって前記走査電極へ印加された維持パルス電圧の立ち下がりの前に前記維持電極へ印加する維持パルス電圧を立ち上がらせて、
少なくとも、前記維持電極駆動回路によって前記維持電極へ印加された維持パルス電圧の立ち下がり時に、前記放電セルへの印加電圧が放電開始電圧を超えるようにした
ことを特徴とする請求項１記載のプラズマディスプレイ装置。
【請求項４】
前記維持期間において、前記走査電極駆動回路は、前記維持電極駆動回路が前記維持電極に印加する維持パルス電圧よりも高い電圧値の維持パルス電圧を前記走査電極に印加し、前記維持電極駆動回路によって前記維持電極へ印加された維持パルス電圧の立ち下がりの後で前記走査電極へ印加する維持パルス電圧を立ち上がらせ、かつ前記維持電極駆動回路によって前記維持電極へ印加される維持パルス電圧の立ち上がりの後で前記走査電極へ印加した維持パルス電圧を立ち下がらせて、
前記走査電極駆動回路によって前記走査電極へ印加される維持パルス電圧の立ち上がり時および立ち下がり時に、前記放電セルへの印加電圧が放電開始電圧を超えるようにした
ことを特徴とする請求項１記載のプラズマディスプレイ装置。
【請求項５】
前記維持期間において、前記維持電極駆動回路は、前記走査電極駆動回路が前記走査電極に印加する維持パルス電圧よりも高い電圧値の維持パルス電圧を前記維持電極に印加し、前記走査電極駆動回路によって前記走査電極へ印加される維持パルス電圧の立ち上がりの後で前記維持電極へ印加した維持パルス電圧を立ち下がらせ、かつ前記走査電極駆動回路によって前記走査電極へ印加された維持パルス電圧の立ち下がりの後で前記維持電極へ印加する維持パルス電圧を立ち上がらせて、
前記維持電極駆動回路によって前記維持電極へ印加される維持パルス電圧の立ち上がり時および立ち下がり時に、前記放電セルへの印加電圧が放電開始電圧を超えるようにした
ことを特徴とする請求項１記載のプラズマディスプレイ装置。
【請求項６】
第１の基板上に平行に配置されかつ表示電極対を構成する複数の走査電極および維持電極と、放電空間を挟んで前記第１の基板に対向配置された第２の基板上に前記走査電極と交差する方向に配置されかつ前記表示電極対とで放電セルを構成する複数のデータ電極とを有するプラズマディスプレイパネルを、書込み期間および維持期間を有する複数のサブフィールドを発光または非発光制御することで多階調表示するプラズマディスプレイパネルの駆動方法であって、
前記維持期間において、前記走査電極へ印加する維持パルス電圧の電圧値と前記維持電極へ印加する維持パルス電圧の電圧値とを互いに異なる電圧値とした
ことを特徴とするプラズマディスプレイパネルの駆動方法。
【請求項７】
前記維持期間において、前記走査電極へ印加する維持パルス電圧の電圧値を前記維持電極へ印加する維持パルス電圧の電圧値よりも高い電圧値とし、
前記維持電極へ印加した維持パルス電圧の立ち下がりの後で前記走査電極へ印加する維持パルス電圧を立ち上がらせ、前記走査電極へ印加した維持パルス電圧の立ち下がりの後で前記維持電極へ印加する維持パルス電圧を立ち上がらせて、
少なくとも、前記走査電極へ印加する維持パルス電圧の立ち上がり時に、前記放電セルへの印加電圧が放電開始電圧を超えるようにした
ことを特徴とする請求項６記載のプラズマディスプレイパネルの駆動方法。
【請求項８】
前記維持期間において、前記維持電極へ印加する維持パルス電圧の電圧値を前記走査電極へ印加する維持パルス電圧の電圧値よりも高い電圧値とし、
前記維持電極へ印加する維持パルス電圧の立ち上がりの後で前記走査電極へ印加した維持パルス電圧を立ち下がらせ、前記走査電極へ印加する維持パルス電圧の立ち上がりの後で前記維持電極へ印加した維持パルス電圧を立ち下がらせて、
少なくとも、前記維持電極へ印加した維持パルス電圧の立ち下がり時に、前記放電セルへの印加電圧が放電開始電圧を超えるようにした
ことを特徴とする請求項６記載のプラズマディスプレイパネルの駆動方法。
【請求項９】
前記維持期間において、前記走査電極へ印加する維持パルス電圧の電圧値を前記維持電極へ印加する維持パルス電圧の電圧値よりも高い電圧値とし、
前記維持電極へ印加した維持パルス電圧の立ち下がりの後で前記走査電極へ印加する維持パルス電圧を立ち上がらせ、前記維持電極へ印加する維持パルス電圧の立ち上がりの後で前記走査電極へ印加した維持パルス電圧を立ち下がらせて、
前記走査電極へ印加する維持パルス電圧の立ち上がり時および立ち下がり時に、前記放電セルへの印加電圧が放電開始電圧を超えるようにした
ことを特徴とする請求項６記載のプラズマディスプレイパネルの駆動方法。
【請求項１０】
前記維持期間において、前記維持電極へ印加する維持パルス電圧の電圧値を前記走査電極へ印加する維持パルス電圧の電圧値よりも高い電圧値とし、
前記走査電極へ印加する維持パルス電圧の立ち上がりの後で前記維持電極へ印加した維持パルス電圧を立ち下がらせ、前記走査電極へ印加した維持パルス電圧の立ち下がりの後で前記維持電極へ印加する維持パルス電圧を立ち上がらせて、
前記維持電極へ印加する維持パルス電圧の立ち上がり時および立ち下がり時に、前記放電セルへの印加電圧が放電開始電圧を超えるようにした
ことを特徴とする請求項６記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
ＡＣ型として代表的な交流面放電型プラズマディスプレイパネル（以下、「ＰＤＰ」と呼ぶ）は、面放電を行う走査電極および維持電極を配列して形成したガラス基板からなる前面板と、データ電極を配列して形成したガラス基板からなる背面板とを、両電極がマトリックスを組むように、しかも間隙に放電空間を形成するように平行に対向配置し、その外周部をガラスフリット等の封着材によって封着することにより構成されている。そして、基板間には、隔壁によって区画された放電セルが設けられ、この隔壁間のセル空間に蛍光体層が形成された構成である。このような構成のＰＤＰにおいては、ガス放電により紫外線を発生させ、この紫外線で赤色（Ｒ）、緑色（Ｇ）および青色（Ｂ）の各色の蛍光体を励起して発光させることによりカラー表示を行っている。
【０００３】
このＰＤＰは、１フィールド期間を複数のサブフィールドに分割し、発光させるサブフィールドの組み合わせによって駆動し階調表示を行う。各サブフィールドは初期化期間、書込み期間および維持期間からなる。画像データを表示するためには、初期化期間、書込み期間および維持期間でそれぞれ異なる信号波形を各電極に印加している。
【０００４】
初期化期間には、例えば、正のパルス電圧を全ての走査電極に印加し、走査電極および維持電極を覆う誘電体層上の保護層および蛍光体層上に必要な壁電荷を蓄積する。加えて、放電遅れを小さくして書込み放電を安定して発生させるためのプライミング（放電のための起爆剤＝励起粒子）を発生させるという働きを持つ。
【０００５】
書込み期間では、全ての走査電極に順次負の走査パルスを印加することによって走査を行う。そして、走査電極を走査している間に、表示データにもとづきデータ電極に正の書込みパルス電圧を印加する。こうして走査電極とデータ電極との間に書込み放電が発生し、走査電極上の保護層の表面に壁電荷が形成される。
【０００６】
続く維持期間では、一定の期間、走査電極と維持電極との間に放電を維持するのに十分な電圧を印加する。これにより、走査電極と維持電極との間に放電プラズマが生成され、一定の期間、蛍光体層を励起発光させる。このとき、書込み期間において書込みパルス電圧が印加されなかった放電空間では、放電は発生せず蛍光体層の励起発光は起こらない。
【０００７】
このようなＰＤＰでは、その消費電力を削減するため、様々な消費電力削減技術が提案されている。
【０００８】
消費電力を削減する技術の一つとして、ＰＤＰが容量性の負荷であることに着目し、インダクタを構成要素に含む共振回路によってそのインダクタとＰＤＰの負荷容量とを共振させ、ＰＤＰの負荷容量に蓄えられた電力を電力回収用のコンデンサに回収し、回収した電力をＰＤＰの駆動に再利用する技術が提案されている（例えば、特許文献１参照）。
【０００９】
この技術では、例えば、維持期間における走査電極および維持電極への維持パルス電圧の印加にＰＤＰから回収した電力を再利用し、維持期間に消費される電力を削減することで、消費電力の削減を実現することができる。
【特許文献１】特公平７−１０９５４２号公報
【発明の開示】
【発明が解決しようとする課題】
【００１０】
放電セルにおいて放電を起こす場合、放電セルに印加された電圧が放電開始電圧を超えてから放電が開始されるまでに時間差（放電遅れ）がある。維持期間における維持放電においても、放電セルに印加された電圧、すなわち、保護層上に形成された壁電荷によって生じる電圧（以下、「壁電圧」と記す）と、走査電極または維持電極に印加される維持パルス電圧によって走査電極と維持電極との間に生じる電圧との加算電圧が放電開始電圧に達してから放電遅れの時間後、維持放電が発生する。
【００１１】
また、放電セルにおいては、維持放電が発生した時点で放電セルに印加されている電圧を打ち消すように壁電荷が形成される。したがって、維持放電が発生した時点で走査電極と維持電極との間の電位差が十分に大きくなければ、それによって形成される壁電圧も十分に高い電圧値とはならない。壁電圧が十分でなければ、放電セルに印加される電圧も維持放電を発生させるに十分な値となりにくく、その結果、次の維持放電が不安定となる。
【００１２】
一方、上述の共振回路を利用した駆動回路で走査電極および維持電極を駆動し維持パルス電圧を印加する場合、維持パルス波形の立ち上がり部分および立ち下がり部分（以下、「立ち上がりエッジ」、「立ち下がりエッジ」と記す）にはそれぞれ傾きの緩やかな部分が生じてしまう。また、立ち上がりエッジおよび立ち下がりエッジの全体的な傾きは、共振回路の共振周波数に依存しているが、上述の共振回路においては電力の回収率を上げるためにはできるだけ共振周波数を低くした方がよいことが分かっており、電力の回収率を上げるために共振周波数を低くすると、維持パルスの立ち上がりエッジおよび立ち下がりエッジもその分緩やかになる。電力の回収率を上げるために共振周波数を低くした共振回路を用いて走査電極および維持電極に維持パルス電圧を印加する場合、維持パルスの立ち上がりエッジおよび立ち下がりエッジにおける傾きの緩やかな部分はさらに傾きが緩やかになってしまう。
【００１３】
したがって、維持パルスの立ち上がりエッジまたは立ち下がりエッジの傾きの緩やかな部分において、放電セルに印加された電圧が放電開始電圧に達した場合には、その後、放電が発生するまでの間に走査電極と維持電極との電位差が速やかには大きくなりにくく、その結果、維持放電の発生時に放電セル内に形成される壁電圧も十分に高い電圧値とはならない可能性がある。そして、放電セル内に十分な壁電圧が形成されないと、それ以降の維持放電が不安定になりやすい。
【００１４】
また、壁電荷は時間の経過と共に徐々に失われていくため、書込み動作がなされてからの経過時間が長いほど、放電セル内に形成された壁電荷は失われやすく、そのため、書込み期間終了直後の各放電セル間における壁電圧のばらつきは大きくなりやすい。したがって、書込み期間終了後の最初の維持放電においては、その壁電圧のばらつきによって放電のばらつきも大きくなりやすい。放電のばらつきが大きければ、維持パルスの立ち上がりエッジまたは立ち下がりエッジにおける傾きの緩やかな部分で維持放電が発生する放電セルの割合も増加する。そして、そのような放電セルでは十分な壁電圧が形成されず、以降の維持放電が不安定となる可能性がある。
【００１５】
本発明は、これらの課題に鑑みなされたものであり、共振回路を利用した駆動回路によって電極の駆動を行う場合に、維持期間における少なくとも最初の維持放電において、それ以降の維持放電を安定して発生させるに十分な壁電圧を放電セル内に安定して形成することができ、それ以降の維持放電を安定して発生させることができるプラズマディスプレイ装置およびＰＤＰの駆動方法を提供することを目的とする。
【課題を解決するための手段】
【００１６】
このような目的を達成するために、本発明のプラズマディスプレイ装置は、第１の基板上に平行に配置されかつ表示電極対を構成する複数の走査電極および維持電極と、放電空間を挟んで第１の基板に対向配置された第２の基板上に走査電極と交差する方向に配置されかつ表示電極対とで放電セルを構成する複数のデータ電極とを有するＰＤＰと、走査電極の容量性負荷に蓄積された電力をコンデンサに回収し、その回収された電力を走査電極の駆動電力として再利用する共振回路を有する走査電極駆動回路と、維持電極の容量性負荷に蓄積された電力をコンデンサに回収し、その回収された電力を維持電極の駆動電力として再利用する共振回路を有する維持電極駆動回路と、データ電極を駆動するデータ電極駆動回路とを備え、書込み期間および維持期間を有するサブフィールドの維持期間において、走査電極駆動回路および維持電極駆動回路は、互いに異なる電圧値の維持パルス電圧を走査電極および維持電極に交番してそれぞれ印加するように構成したことを特徴とする。
【００１７】
この構成によれば、たとえ放電のばらつきが大きくとも、維持放電において十分に高い壁電圧を確実に形成し、以降の維持放電を安定して発生させることができる。
【００１８】
また、維持期間において、走査電極駆動回路は、維持電極駆動回路が維持電極に印加する維持パルス電圧よりも高い電圧値の維持パルス電圧を走査電極に印加し、維持電極駆動回路によって維持電極へ印加された維持パルス電圧の立ち下がりの後で走査電極へ印加する維持パルス電圧を立ち上がらせ、かつ維持電極駆動回路によって維持電極へ印加される維持パルス電圧の立ち上がりの前に走査電極へ印加した維持パルス電圧を立ち下がらせて、少なくとも、走査電極駆動回路によって走査電極へ印加される維持パルス電圧の立ち上がり時に、放電セルへの印加電圧が放電開始電圧を超えるようにした構成としてもよい。この構成によれば、少なくとも走査電極へ印加する維持パルス電圧の立ち上がり時に放電セルへの印加電圧が放電開始電圧を超えるようにすることができるので、維持期間における少なくとも最初の維持放電を、放電セルへの印加電圧の傾きが急峻な状態で発生させることができ、放電発生時に十分に高い壁電圧を確実に形成することができるので、それ以降の維持放電を安定して発生させることが可能となる。
【００１９】
また、維持期間において、維持電極駆動回路は、走査電極駆動回路が走査電極に印加する維持パルス電圧よりも高い電圧値の維持パルス電圧を維持電極に印加し、走査電極駆動回路によって走査電極へ印加される維持パルス電圧の立ち上がりの後で維持電極へ印加した維持パルス電圧を立ち下がらせ、かつ走査電極駆動回路によって走査電極へ印加された維持パルス電圧の立ち下がりの前に維持電極へ印加する維持パルス電圧を立ち上がらせて、少なくとも、維持電極駆動回路によって維持電極へ印加された維持パルス電圧の立ち下がり時に、放電セルへの印加電圧が放電開始電圧を超えるようにした構成としてもよい。この構成によれば、少なくとも維持電極へ印加した維持パルス電圧の立ち下がり時に放電セルへの印加電圧が放電開始電圧を超えるようにすることができるので、維持期間における維持放電を、放電セルへの印加電圧の傾きが急峻な状態で発生させることができ、放電発生時に十分に高い壁電圧を確実に形成することができるので、それ以降の維持放電を安定して発生させることが可能となる。
【００２０】
また、維持期間において、走査電極駆動回路は、維持電極駆動回路が維持電極に印加する維持パルス電圧よりも高い電圧値の維持パルス電圧を走査電極に印加し、維持電極駆動回路によって維持電極へ印加された維持パルス電圧の立ち下がりの後で走査電極へ印加する維持パルス電圧を立ち上がらせ、かつ維持電極駆動回路によって維持電極へ印加される維持パルス電圧の立ち上がりの後で走査電極へ印加した維持パルス電圧を立ち下がらせて、走査電極駆動回路によって走査電極へ印加される維持パルス電圧の立ち上がり時および立ち下がり時に、放電セルへの印加電圧が放電開始電圧を超えるようにした構成としてもよい。この構成によれば、走査電極へ印加する維持パルス電圧の立ち上がり時および立ち下がり時に放電セルへの印加電圧が放電開始電圧を超えるようにすることができるので、維持期間における最初の維持放電およびそれ以降の維持放電を、放電セルへの印加電圧の傾きが急峻な状態で発生させることができ、放電発生時に十分に高い壁電圧を確実に形成することができるので、維持放電を安定して発生させることが可能となる。
【００２１】
また、維持期間において、維持電極駆動回路は、走査電極駆動回路が走査電極に印加する維持パルス電圧よりも高い電圧値の維持パルス電圧を維持電極に印加し、走査電極駆動回路によって走査電極へ印加される維持パルス電圧の立ち上がりの後で維持電極へ印加した維持パルス電圧を立ち下がらせ、かつ走査電極駆動回路によって走査電極へ印加された維持パルス電圧の立ち下がりの後で維持電極へ印加する維持パルス電圧を立ち上がらせて、維持電極駆動回路によって維持電極へ印加される維持パルス電圧の立ち上がり時および立ち下がり時に、放電セルへの印加電圧が放電開始電圧を超えるようにした構成としてもよい。この構成によれば、維持電極へ印加する維持パルス電圧の立ち上がり時および立ち下がり時に放電セルへの印加電圧が放電開始電圧を超えるようにすることができるので、維持期間における維持放電を、放電セルへの印加電圧の傾きが急峻な状態で発生させることができ、放電発生時に十分に高い壁電圧を確実に形成することができるので、維持放電を安定して発生させることが可能となる。
【００２２】
また、本発明のＰＤＰの駆動方法は、第１の基板上に平行に配置されかつ表示電極対を構成する複数の走査電極および維持電極と、放電空間を挟んで第１の基板に対向配置された第２の基板上に走査電極と交差する方向に配置されかつ表示電極対とで放電セルを構成する複数のデータ電極とを有するＰＤＰを、書込み期間および維持期間を有する複数のサブフィールドを発光または非発光制御することで多階調表示するＰＤＰの駆動方法であって、維持期間において、走査電極へ印加する維持パルス電圧の電圧値と維持電極へ印加する維持パルス電圧の電圧値とを互いに異なる電圧値としたことを特徴とする。
【００２３】
この方法によれば、たとえ放電のばらつきが大きくとも、維持放電において十分に高い壁電圧を確実に形成し、以降の維持放電を安定して発生させることができる。
【００２４】
また、維持期間において、走査電極へ印加する維持パルス電圧の電圧値を維持電極へ印加する維持パルス電圧の電圧値よりも高い電圧値とし、維持電極へ印加した維持パルス電圧の立ち下がりの後で走査電極へ印加する維持パルス電圧を立ち上がらせ、走査電極へ印加した維持パルス電圧の立ち下がりの後で維持電極へ印加する維持パルス電圧を立ち上がらせて、少なくとも、走査電極へ印加する維持パルス電圧の立ち上がり時に、放電セルへの印加電圧が放電開始電圧を超えるようにしてもよい。この方法によれば、少なくとも走査電極へ印加する維持パルス電圧の立ち上がり時に放電セルへの印加電圧が放電開始電圧を超えるようにすることができるので、維持期間における少なくとも最初の維持放電を、放電セルへの印加電圧の傾きが急峻な状態で発生させることができ、放電発生時に十分に高い壁電圧を確実に形成することができるので、それ以降の維持放電を安定して発生させることが可能となる。
【００２５】
また、維持期間において、維持電極へ印加する維持パルス電圧の電圧値を走査電極へ印加する維持パルス電圧の電圧値よりも高い電圧値とし、維持電極へ印加する維持パルス電圧の立ち上がりの後で走査電極へ印加した維持パルス電圧を立ち下がらせ、走査電極へ印加する維持パルス電圧の立ち上がりの後で維持電極へ印加した維持パルス電圧を立ち下がらせて、少なくとも、維持電極へ印加する維持パルス電圧の立ち下がり時に、放電セルへの印加電圧が放電開始電圧を超えるようにしてもよい。この方法によれば、少なくとも維持電極へ印加した維持パルス電圧の立ち下がり時に放電セルへの印加電圧が放電開始電圧を超えるようにすることができるので、維持期間における維持放電を、放電セルへの印加電圧の傾きが急峻な状態で発生させることができ、放電発生時に十分に高い壁電圧を確実に形成することができるので、それ以降の維持放電を安定して発生させることが可能となる。
【００２６】
維持期間において、走査電極へ印加する維持パルス電圧の電圧値を維持電極へ印加する維持パルス電圧の電圧値よりも高い電圧値とし、維持電極へ印加した維持パルス電圧の立ち下がりの後で走査電極へ印加する維持パルス電圧を立ち上がらせ、維持電極へ印加する維持パルス電圧の立ち上がりの後で走査電極へ印加した維持パルス電圧を立ち下がらせて、走査電極へ印加する維持パルス電圧の立ち上がり時および立ち下がり時に、放電セルへの印加電圧が放電開始電圧を超えるようにしてもよい。この方法によれば、走査電極へ印加する維持パルス電圧の立ち上がり時および立ち下がり時に放電セルへの印加電圧が放電開始電圧を超えるようにすることができるので、維持期間における最初の維持放電およびそれ以降の維持放電を、放電セルへの印加電圧の傾きが急峻な状態で発生させることができ、放電発生時に十分に高い壁電圧を確実に形成することができるので、維持放電を安定して発生させることが可能となる。
【００２７】
維持期間において、維持電極へ印加する維持パルス電圧の電圧値を走査電極へ印加する維持パルス電圧の電圧値よりも高い電圧値とし、走査電極へ印加する維持パルス電圧の立ち上がりの後で維持電極へ印加した維持パルス電圧を立ち下がらせ、走査電極へ印加した維持パルス電圧の立ち下がりの後で維持電極へ印加する維持パルス電圧を立ち上がらせて、維持電極へ印加する維持パルス電圧の立ち上がり時および立ち下がり時に、放電セルへの印加電圧が放電開始電圧を超えるようにしてもよい。この方法によれば、維持電極へ印加する維持パルス電圧の立ち上がり時および立ち下がり時に放電セルへの印加電圧が放電開始電圧を超えるようにすることができるので、維持期間における維持放電を、放電セルへの印加電圧の傾きが急峻な状態で発生させることができ、放電発生時に十分に高い壁電圧を確実に形成することができるので、維持放電を安定して発生させることが可能となる。
【発明の効果】
【００２８】
本発明によれば、共振回路を利用した駆動回路によって電極の駆動を行う場合に、維持期間における少なくとも最初の維持放電において、それ以降の維持放電を安定して発生させるに十分な壁電圧を放電セル内に安定して形成することができ、それ以降の維持放電を安定して発生させることができるプラズマディスプレイ装置およびＰＤＰの駆動方法を提供することができる。
【発明を実施するための最良の形態】
【００２９】
以下、本発明の実施の形態について、図面を参照しながら説明する。
【００３０】
（実施の形態１）
図１は、本発明の実施の形態１におけるプラズマディスプレイ装置のＰＤＰ１０の構造を示す分解斜視図である。第１の基板であるガラス製の前面板２０上には、ストライプ状の走査電極２２とストライプ状の維持電極２３とで対をなす表示電極が複数形成されている。そして走査電極２２と維持電極２３とを覆うように誘電体層２４が形成され、その誘電体層２４上に保護層２５が形成されている。
【００３１】
第２の基板である背面板３０上には、走査電極２２および維持電極２３と立体交差するように、誘電体層３３で覆われた複数のストライプ状のデータ電極３２が形成されている。誘電体層３３上にはデータ電極３２と平行に複数の隔壁３４が配置され、この隔壁３４間の誘電体層３３上に蛍光体層３５が設けられている。また、データ電極３２は隣り合う隔壁３４の間の位置に配置されている。
【００３２】
これら前面板２０と背面板３０とは、走査電極２２および維持電極２３とデータ電極３２とが直交するように、微小な放電空間を挟んで対向配置されると共に、その外周部をガラスフリット等の封着材によって封着している。そして放電空間には、例えばネオン（Ｎｅ）とキセノン（Ｘｅ）の混合ガスが放電ガスとして封入されている。放電空間は、隔壁３４によって複数の区画に仕切られており、各区画には赤色（Ｒ）、緑色（Ｇ）および青色（Ｂ）の各色に発光する蛍光体層３５が順次配置されている。そして、走査電極２２および維持電極２３とデータ電極３２とが交差する部分に放電セルが形成され、各色に発光する蛍光体層３５が形成された隣接する３つの放電セルにより１つの画素が構成される。この画素を構成する放電セルが形成された領域が画像表示領域となり、画像表示領域の周囲は、ガラスフリットが形成された領域等のように画像表示が行われない非表示領域となる。
【００３３】
図２は、本発明の実施の形態１におけるプラズマディスプレイ装置のＰＤＰ１０の電極配列図である。行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にはｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に形成され、放電セルＣの総数は（ｍ×ｎ）個になる。
【００３４】
このような構成のＰＤＰにおいては、ガス放電により紫外線を発生させ、その紫外線でＲ、Ｇ、Ｂの各色の蛍光体を励起して発光させることによりカラー表示を行っている。
【００３５】
図３は、本発明の実施の形態１におけるプラズマディスプレイ装置の電気的構成を示すブロック図である。図３に示すプラズマディスプレイ装置は、ＡＤコンバータ１、映像信号処理回路２、サブフィールド処理回路３、データ電極駆動回路４、走査電極駆動回路５、維持電極駆動回路６、ＰＤＰ１０を備えている。
【００３６】
ＡＤコンバータ１は、入力されたアナログの映像信号をデジタルの映像信号に変換する。映像信号処理回路２は、入力されたデジタルの映像信号を発光期間の重みの異なる複数のサブフィールドの組み合わせによってＰＤＰ１０に発光表示するため、１フィールドの映像信号から各サブフィールドの制御を行うサブフィールドデータに変換する。
【００３７】
サブフィールド処理回路３は、映像信号処理回路２で作成されたサブフィールドデータからデータ電極駆動回路用制御信号、走査電極駆動回路用制御信号および維持電極駆動回路用制御信号を生成し、データ電極駆動回路４、走査電極駆動回路５、維持電極駆動回路６へそれぞれ出力する。
【００３８】
ＰＤＰ１０は、上述したとおり、行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に（ｍ×ｎ）個形成され、赤色、緑色および青色の各色に発光する３つの放電セルにより１つの画素が構成される。
【００３９】
データ電極駆動回路４は、データ電極駆動回路用制御信号にもとづいて各データ電極Ｄｊを独立して駆動する。
【００４０】
走査電極駆動回路５は、維持期間に走査電極ＳＣ１〜ＳＣｎに印加する維持パルスを発生するための維持パルス発生回路５１を内部に備え、各走査電極ＳＣ１〜ＳＣｎをそれぞれ独立して駆動することができる。そして、走査電極駆動回路用制御信号にもとづいて各走査電極ＳＣ１〜ＳＣｎを独立して駆動する。また、維持パルス発生回路５１は、インダクタを備えた共振回路からなり、ＰＤＰ１０の容量性負荷（走査電極ＳＣ１〜ＳＣｎに生じた負荷容量）に蓄えられた電力を回収し、その回収された電力を走査電極ＳＣ１〜ＳＣｎの駆動電力として再利用することができる。
【００４１】
維持電極駆動回路６は、維持期間に維持電極ＳＵ１〜ＳＵｎに印加する維持パルスを発生するための維持パルス発生回路６１を内部に備え、ＰＤＰ１０の全ての維持電極ＳＵ１〜ＳＵｎをまとめて駆動することができる。そして、維持電極駆動回路用制御信号にもとづいて維持電極ＳＵ１〜ＳＵｎを駆動する。また、維持パルス発生回路６１は、インダクタを備えた共振回路からなり、ＰＤＰ１０の容量性負荷（維持電極ＳＵ１〜ＳＵｎに生じた負荷容量）に蓄えられた電力を回収し、その回収された電力を維持電極ＳＵ１〜ＳＵｎの駆動電力として再利用することができる。この維持パルス発生回路５１、６１の詳細については後述する。
【００４２】
次に、それぞれの駆動について説明する。
【００４３】
図４は、本発明の実施の形態１におけるプラズマディスプレイ装置のＰＤＰ１０の各電極への駆動電圧波形を示す図である。図４に示すように、各サブフィールドは初期化期間、書込み期間、維持期間を有している。また、それぞれのサブフィールドは発光期間の重みを変えるため維持期間における維持パルスの数を異ならせている以外はほぼ同様の動作を行い、各サブフィールドにおける動作原理もほぼ同様である。したがって、ここでは１つのサブフィールドについてのみ動作を説明する。
【００４４】
まず、初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには、データ電極Ｄ１〜Ｄｍに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電が起こる。そして、走査電極ＳＣ１〜ＳＣｎ上部に負の壁電圧が蓄積されると共に、データ電極Ｄ１〜Ｄｍ上部および維持電極ＳＵ１〜ＳＵｎ上部には正の壁電圧が蓄積される。ここで、電極上部の壁電圧とは電極を覆う誘電体層上に蓄積された壁電荷により生じる電圧を表す。
【００４５】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により初期化動作が終了する（以下、初期化期間に各電極に印加される駆動電圧を「初期化波形」と略記する）。
【００４６】
書込み期間では、走査電極ＳＣ１〜ＳＣｎを一旦電圧Ｖｃに保持する。次に、放電セルＣｐ，１〜Ｃｐ，ｍ（ｐは１〜ｎの整数）の書込み動作では、走査電極ＳＣｐに走査パルス電圧Ｖａを印加すると共に、データ電極Ｄ１〜Ｄｍのうちｐ行目に表示すべき映像信号に対応するデータ電極Ｄｑ（ＤｑはＤ１〜Ｄｍのうち映像信号にもとづき選択されるデータ電極）に正の書込みパルス電圧Ｖｄを印加する。こうして、書込みパルス電圧が印加されたデータ電極Ｄｑと走査パルス電圧が印加された走査電極ＳＣＰとの交差部に対応する放電セルＣｐ，ｑで書込み放電が発生する。この書込み放電により放電セルＣｐ，ｑの走査電極ＳＣｐ上部に正電圧が蓄積され、維持電極ＳＵｐ上部に負電圧が蓄積されて、書込み動作が終了する。以下、同様の書込み動作をｎ行目の放電セルＣｎ，ｑに至るまで行い、書込み動作が終了する。
【００４７】
維持期間では、走査電極ＳＣ１〜ＳＣｎを０（Ｖ）に一旦戻した後、維持電極ＳＵ１〜ＳＵｎを０（Ｖ）に戻す。その後、走査電極ＳＣ１〜ＳＣｎに正の維持パルス電圧ＶｓＡを印加する。このとき、書込み放電を起こした放電セルＣｐ，ｑにおける走査電極ＳＣｐ上部と維持電極ＳＵｐ上部との間の電圧は、正の維持パルス電圧ＶｓＡに加えて、書込み期間において走査電極ＳＣｐ上部および維持電極ＳＵｐ上部に蓄積された壁電圧が加算されて、放電開始電圧より大きくなり、１回目の維持放電が発生する。そして、維持放電を起こした放電セルＣｐ，ｑでは、維持放電発生時における走査電極ＳＣＰと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。１回目の維持放電の後、走査電極ＳＣ１〜ＳＣｎを０（Ｖ）に戻し、その後、維持電極ＳＵ１〜ＳＵｎにＶｓＢを印加する。このとき、１回目の維持放電を起こした放電セルＣｐ，ｑにおける走査電極ＳＣｐ上部と維持電極ＳＵｐ上部との間の電圧は、正の維持パルス電圧ＶｓＢに加えて、１回目の維持放電において走査電極ＳＣｐ上部および維持電極ＳＵｐ上部に蓄積された壁電圧が加算されて放電開始電圧より大きくなり、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｐ，ｑに対して維持パルスの回数だけ維持放電が継続して行われる。なお、このとき、本発明の実施の形態１においては、走査電極ＳＣ１〜ＳＣｎに印加する維持パルス電圧ＶｓＡを、維持電極ＳＵ１〜ＳＵｎに印加する維持パルス電圧ＶｓＢよりも高い電圧値としている。
【００４８】
以上がＰＤＰ１０の電極配列およびＰＤＰ１０を駆動するための駆動電圧波形とそのタイミングである。
【００４９】
次に、維持パルス発生回路５１について説明する。
【００５０】
図５は本発明の実施の形態１におけるプラズマディスプレイ装置の走査電極駆動回路５に備えられた維持パルス発生回路５１の回路図である。維持パルス発生回路５１は、電力回収部４１０と、電圧クランプ部４２０と、タイミング制御回路１３０とを備えている。
【００５１】
電力回収部４１０は、インダクタンス素子であるコイル４１２を用いることによりＰＤＰ１０の容量性負荷（走査電極ＳＣ１〜ＳＣｎに生じた負荷容量）とコイル４１２のインダクタンスを共振させて、電力の回収および供給を行う。電力の回収時は、走査電極ＳＣ１〜ＳＣｎに生じた負荷容量に蓄えられた電力を、電流の逆流防止用ダイオード４３６およびスイッチング素子（以下、「ＦＥＴ」と略記する）４３３を介して回収コンデンサ４１１に移動させる。電力の供給時は、回収コンデンサ４１１に蓄えられた電力を、ＦＥＴ４３１および逆流防止用ダイオード４３５を介してＰＤＰ１０（走査電極ＳＣ１〜ＳＣｎ）に移動する。こうして走査電極ＳＣ１〜ＳＣｎの駆動を行う。したがって電力回収部４１０は、維持期間において、電源から電力を供給されることなく、ＬＣ共振によって走査電極ＳＣ１〜ＳＣｎの駆動を行うため、実質的な消費電力は０となる。
【００５２】
一方、電圧クランプ部４２０は、電圧値ＶｓＡの定電圧電源である維持電源４２１から走査電極ＳＣ１〜ＳＣｎにＦＥＴ４３２を介して電力を供給し、また、走査電極ＳＣ１〜ＳＣｎに生じた負荷容量に蓄えられた電力をＦＥＴ４３４を介してＧＮＤに放出することによって、走査電極ＳＣ１〜ＳＣｎの駆動を行う。したがって、電圧クランプ部４２０による走査電極ＳＣ１〜ＳＣｎの駆動時においては、電力供給のインピーダンスは非常に小さく維持パルスの立ち上がり立ち下がりは急峻になるが、維持電源４２１から電力が供給されることによる消費電力が発生する。
【００５３】
タイミング制御回路１３０は、サブフィールド制御信号にもとづき、ＦＥＴ４３１〜４３４の切替えを制御する。
【００５４】
このように維持パルス発生回路５１は、ＦＥＴ４３１〜４３４の切替えによって、電力回収部４１０と電圧クランプ部４２０とを切替え、走査電極ＳＣ１〜ＳＣｎに印加するための維持パルスを発生する。
【００５５】
次に、この維持パルス発生回路５１から出力される維持パルスについて、図６を用いて説明する。
【００５６】
図６は、本発明の実施の形態１におけるプラズマディスプレイ装置の走査電極駆動回路５に備えられた維持パルス発生回路５１の維持パルスの電圧波形とＦＥＴ４３１〜４３４の導通状態を示す図である。図６では、維持期間における、電力回収部４１０および電圧クランプ部４２０の切替えのタイミングと維持パルス発生回路５１から出力される電圧波形を示している。
【００５７】
まず、ｔＡ１期間では、ＦＥＴ４３１をオンとし、ＦＥＴ４３２〜４３４をオフとする。こうすることで電力回収部４１０のコイル４１２のインダクタンスとＰＤＰ１０の容量性負荷（走査電極ＳＣ１〜ＳＣｎに生じた負荷容量）とがＬＣ共振を起こし、回収コンデンサ４１１からコイル４１２を通して走査電極ＳＣ１〜ＳＣｎに電流が流れ始め、走査電極ＳＣ１〜ＳＣｎへの電力供給を行う。このとき回収コンデンサ４１１の容量は走査電極ＳＣ１〜ＳＣｎに生じた負荷容量に比較して十分大きいため、実質的に電源として働く。また、回収コンデンサ４１１は維持電源４２１の電圧ＶｓＡの半分である１／２ＶｓＡに充電されており、維持パルス発生回路５１の出力電圧が回収コンデンサ４１１の電圧の２倍の電圧ＶｓＡに近づくにつれて徐々に電流が少なくなり、極大値Ｖ１に達した時点で電流が０となる。このとき、放電による電力消費、駆動インピーダンスの電圧降下等の原因により、出力電圧の極大値Ｖ１は、維持電源４２１の電圧ＶｓＡと等しい電圧までは上がらない。
【００５８】
続くｔＡ２期間では、維持パルスの電圧が極大値Ｖ１になった時点でＦＥＴ４３２をオンとし、ＦＥＴ４３１、４３３、４３４をオフとして、電圧クランプ部４２０による電圧印加に切替える。こうすることで、電圧値ＶｓＡの定電圧電源である維持電源４２１から走査電極ＳＣ１〜ＳＣｎへＦＥＴ４３２を介して電力が供給され、維持パルスは速やかに電圧ＶｓＡまで引き上げられる。ただし、維持電源４２１から電力が供給されるので、その分の電力消費が発生する。
【００５９】
続くｔＡ３期間では、ＦＥＴ４３３をオンとし、ＦＥＴ４３１、４３２、４３４をオフとして、再び電力回収部４１０に切替える。これにより、コイル４１２を通して走査電極ＳＣ１〜ＳＣｎから回収コンデンサ４１１に電流が流れ始め、走査電極ＳＣ１〜ＳＣｎの負荷容量に蓄えられた電力が回収コンデンサ４１１に充電される。そして、維持パルスの電圧がＧＮＤに近づくにつれて徐々に電流が少なくなり、極小値Ｖ０に達した時点、すなわち走査電極ＳＣ１〜ＳＣｎの電圧が極小値Ｖ０になった時点で電流が０となる。このとき、駆動インピーダンス等のため、極小値Ｖ０はＧＮＤより高くなる。
【００６０】
続くｔＡ４期間では、維持パルスの電圧が極小値Ｖ０になった時点で、ＦＥＴ４３４をオンとし、ＦＥＴ４３１〜４３３をオフとして、再び電圧クランプ部４２０に切替える。こうすることで走査電極ＳＣ１〜ＳＣｎに残留した電力をＧＮＤへ放出し、維持パルスの電圧は速やかに０（Ｖ）に引き下げられる。
【００６１】
このように、ＬＣ共振を利用した維持パルス発生回路５１では、維持パルスの電圧が極大値Ｖ１になるまで電力回収部４１０によって電力供給を行い、その後電圧クランプ部４２０に切替えることで、実質的な消費電力が０である電力回収部４１０を最大限に利用した駆動を行うことができ、走査電極駆動回路５の消費電力を低減することができる。
【００６２】
一方、図６に示すとおり、維持パルス波形の立ち上がりエッジおよび立ち下がりエッジはそれぞれ極大値付近および極小値付近において傾きが緩やかになり、また、維持パルス波形の立ち上がりエッジおよび立ち下がりエッジの全体的な傾きが共振回路の共振周波数に依存しているため、電力の回収率を上げるために共振周波数を低くすると、傾きはさらに緩やかになる。
【００６３】
なお、維持電極駆動回路６に備えられた維持パルス発生回路６１は、定電圧電源の電圧値がＶｓＢである以外は維持パルス発生回路５１と同様の構成、動作によって維持電極ＳＵ１〜ＳＵｎに維持パルス電圧を印加する構成であるので、説明を省略する。
【００６４】
次に、本発明の実施の形態１の維持期間における、走査電極駆動回路５および維持電極駆動回路６による走査電極ＳＣ１〜ＳＣｎ、維持電極ＳＵ１〜ＳＵｎへの維持パルス電圧の印加について詳しく説明する。
【００６５】
図７は、本発明の実施の形態１におけるプラズマディスプレイ装置の走査電極駆動回路５および維持電極駆動回路６によって印加される、維持期間初期における走査電極ＳＣ１〜ＳＣｎ、維持電極ＳＵ１〜ＳＵｎへの維持パルス波形の拡大図である。
【００６６】
図７に示すように、維持期間では、まず、走査電極ＳＣ１〜ＳＣｎを一旦０（Ｖ）に戻す。このとき、維持電極ＳＵ１〜ＳＵｎは、初期化期間後半部から正電圧Ｖｅに保たれたままなので、維持電極ＳＵ１〜ＳＵｎから走査電極ＳＣ１〜ＳＣｎへは−Ｖｅの電位差が発生する。次に、維持電極ＳＵ１〜ＳＵｎを０（Ｖ）に戻すと、維持電極ＳＵ１〜ＳＵｎから走査電極ＳＣ１〜ＳＣｎへの電位差は０（Ｖ）となる。その後、走査電極ＳＣ１〜ＳＣｎに正の維持パルス電圧ＶｓＡを印加すると、維持電極ＳＵ１〜ＳＵｎから走査電極ＳＣ１〜ＳＣｎへはＶｓＡの電位差が発生し、さらに、書込み期間において書込み放電を起こした放電セルＣｐ，ｑ（走査電極ＳＣｐ、維持電極ＳＵｐとデータ電極Ｄｑとで構成される放電セル。ただし、ｐは１〜ｎの整数、Ｄｑはデータ電極Ｄ１〜Ｄｍのうち映像信号にもとづき選択されるデータ電極）において蓄積された走査電極ＳＣｐ上部の正電圧と維持電極ＳＵｐ上部の負電圧とが加算されて、放電開始電圧より大きくなり、１回目の維持放電が発生する。そして、維持放電を起こした放電セルＣｐ，ｑでは、維持放電発生時における走査電極ＳＣＰと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。
【００６７】
１回目の維持放電の後、走査電極ＳＣ１〜ＳＣｎを０（Ｖ）に戻すと、維持電極ＳＵ１〜ＳＵｎから走査電極ＳＣ１〜ＳＣｎへの電位差は０（Ｖ）となる。その後、維持パルス電圧ＶｓＢを維持電極ＳＵ１〜ＳＵｎに印加すると、維持電極ＳＵ１〜ＳＵｎから走査電極ＳＣ１〜ＳＣｎへは−ＶｓＢの電位差が発生し、さらに、１回目の維持放電を起こした放電セルＣｐ，ｑにおいて蓄積された走査電極ＳＣｐ上部の負電圧と維持電極ＳＵｐ上部の正電圧とが加算されて、放電開始電圧より大きくなり、２回目の維持放電が発生する。以降同様に、走査電極ＳＣ１〜ＳＣｎと維持電極ＳＵ１〜ＳＵｎとに維持パルス電圧を交互に印加することにより、書込み放電を起こした放電セルＣｐ，ｑに対して維持パルスの回数だけ維持放電が継続して行われる。
【００６８】
このとき、本発明の実施の形態１においては、走査電極ＳＣ１〜ＳＣｎへ印加する維持パルス電圧ＶｓＡを維持電極ＳＵ１〜ＳＵｎへ印加する維持パルス電圧ＶｓＢよりも高い電圧値としている。こうすることで、走査電極ＳＣ１〜ＳＣｎへ印加する維持パルス波形の立ち上がりエッジを、維持電極ＳＵ１〜ＳＵｎへ印加する維持パルス波形の立ち下がりエッジよりも急峻にしている。そして、走査電極ＳＣ１〜ＳＣｎへ印加する維持パルス波形の立ち上がりエッジが、維持電極ＳＵ１〜ＳＵｎへ印加した維持パルス波形の立ち下がりエッジよりも時間的に遅くなるように走査電極ＳＣ１〜ＳＣｎおよび維持電極ＳＵ１〜ＳＵｎを駆動することで、走査電極ＳＣ１〜ＳＣｎへ印加された維持パルス電圧の立ち上がり時に、走査電極ＳＣｐと維持電極ＳＵｐとの電位差と放電セル内に形成された壁電圧との加算電圧が放電開始電圧よりも大きくなるような構成としている。
【００６９】
本発明の実施の形態１において、維持期間における走査電極ＳＣ１〜ＳＣｎおよび維持電極ＳＵ１〜ＳＵｎの駆動をこのような構成としたのは、以下のような理由による。
【００７０】
上述したように、維持放電を起こした放電セルＣｐ，ｑでは、維持放電発生時において走査電極ＳＣＰまたは維持電極ＳＵｐに印加された維持パルス電圧を打ち消すように、走査電極ＳＣｐ上部および維持電極ＳＵｐ上部に壁電圧が形成される。
【００７１】
しかし、維持放電そのものは、走査電極ＳＣｐまたは維持電極ＳＵｐへ印加された維持パルス電圧と放電セルＣｐ，ｑ内に形成された壁電圧との加算電圧が放電開始電圧に到達した時点ですぐに発生するわけではなく、一般に放電遅れと呼ばれる時間差をもって発生する。これは、放電セルＣｐ，ｑ内において、その加算電圧が放電開始電圧に到達した時点でまず最初に１個ないし複数個の放電の種となる電子が発生し、その電子が放電セルＣｐ，ｑ内の気体分子を電離して新たな電子を発生させ、いわゆる電子なだれと呼ばれる連鎖反応が進行して急速に電子数が増えることで、放電が発生するためである。
【００７２】
したがって、放電セルＣｐ，ｑ内に、次の維持放電の発生に必要な十分に高い壁電圧を形成させるためには、放電セルＣｐ，ｑ内に印加された電圧が放電開始電圧より大きくなった後、できるだけ速やかに走査電極ＳＣｐと維持電極ＳＵｐとの電位差を大きくし、維持放電が発生した時点での走査電極ＳＣｐと維持電極ＳＵｐとの電位差を、十分に高い壁電圧が形成されるだけの電位差にすることが望ましい。
【００７３】
一方、書込み期間では、走査電極ＳＣ１〜ＳＣｎを順次走査して書込み動作を行うが、放電によって形成された壁電圧は時間の経過と共に徐々に失われていくため、書込み動作がなされてからの経過時間によっては放電セル内に形成された壁電荷の一部が失われる可能性があり、それが書込み期間の早い時期であるほど、より多くの壁電荷が失われる恐れがある。そのため、維持期間における最初の維持放電では、それ以降の維持放電よりも放電のばらつきが大きくなる可能性が高い。放電のばらつきが大きければ、維持パルスの立ち上がりエッジまたは立ち下がりエッジにおける傾きの緩やかな部分で、放電セルＣｐ，ｑ内に印加された電圧が放電開始電圧に到達する放電セルの割合も増加する。そして、そのような場合、放電セルＣｐ，ｑ内に印加された電圧が放電開始電圧より大きくなった後、走査電極ＳＣｐと維持電極ＳＵｐとの電位差が速やかには大きくならないため、維持放電が発生した時点での走査電極ＳＣｐと維持電極ＳＵｐとの電位差を、十分に高い壁電圧が形成されるだけの電位差にすることは難しい。そして、最初の維持放電において十分な壁電圧が形成されないと、以降の維持放電が安定に発生しなくなる恐れがある。
【００７４】
したがって、維持放電を安定して発生させるためには、維持期間における最初の維持放電が重要となる。すなわち、維持パルス電圧の印加によって走査電極ＳＣｐと維持電極ＳＵｐとの間に生じた電位差と壁電圧との加算電圧が放電開始電圧に達した後、速やかに維持パルス電圧を高めて走査電極ＳＣｐと維持電極ＳＵｐとの間の電位差を大きくし、放電セルＣｐ，ｑ内に、以降の維持放電の発生に十分な高い壁電圧を蓄積させなければならない。そして、それらの動作を壁電圧のばらつきによらず安定して生じさせなければならない。維持期間における最初の維持放電をこうして安定して発生させることができれば、以降の維持放電の発生に必要な壁電圧が形成され、維持放電を安定して発生させることができる。
【００７５】
そこで、本発明の実施の形態１においては、走査電極ＳＣ１〜ＳＣｎへ印加する維持パルス電圧ＶｓＡを維持電極ＳＵ１〜ＳＵｎへ印加する維持パルス電圧ＶｓＢよりも高い電圧値とし、走査電極ＳＣ１〜ＳＣｎへ印加する維持パルス波形の立ち上がりエッジを、維持電極ＳＵ１〜ＳＵｎへ印加する維持パルス波形の立ち下がりエッジよりも急峻にしている。また、走査電極ＳＣ１〜ＳＣｎへ印加する維持パルス波形の立ち上がりエッジが、維持電極ＳＵ１〜ＳＵｎへ印加した維持パルス波形の立ち下がりエッジよりも時間的に遅くなるようにすることで、走査電極ＳＣ１〜ＳＣｎに印加された維持パルス電圧の立ち上がり時に、走査電極ＳＣｐと維持電極ＳＵｐとの電位差と放電セル内に形成された壁電圧との加算電圧が放電開始電圧よりも大きくなるようにしている。
【００７６】
これにより、放電セルＣｐ，ｑ内に印加される電圧が放電開始電圧に達した後、速やかに維持パルス電圧を高めて走査電極ＳＣｐと維持電極ＳＵｐとの間の電位差を大きくし、次の維持放電を発生させるに十分な壁電圧を放電セルＣｐ，ｑ内に形成することが可能となる。
【００７７】
特に、維持期間における１回目の維持放電においては、上述したような理由から各放電セル間の壁電圧のばらつきが大きくなりやすいが、走査電極ＳＣ１〜ＳＣｎへ印加する維持パルス電圧ＶｓＡを維持電極ＳＵ１〜ＳＵｎへ印加する維持パルス電圧ＶｓＢよりも高い電圧値としているため、その１回目の維持放電を生じさせる放電セルＣｐ，ｑ内への電圧印加を、維持電極ＳＵｐにおける印加電圧の立ち下がりエッジではなく、電圧変化の急峻な、走査電極ＳＣ１〜ＳＣｎへ印加する維持パルス電圧の立ち上がり時に、確度高く行うことが可能となる。
【００７８】
なお、本発明の実施の形態１ではＶｓＡを１９０（Ｖ）、ＶｓＢを１７０（Ｖ）、Ｖｅを１５０（Ｖ）程度としているが、これらの値は、ＰＤＰの特性や駆動回路の構成等により最適な値が異なるため、実験等により適宜求めた最適な値とすることが望ましい。
【００７９】
なお、本発明の実施の形態１では、走査電極ＳＣ１〜ＳＣｎへ印加する維持パルス波形の立ち上がりエッジが、維持電極ＳＵ１〜ＳＵｎへ印加した維持パルスの立ち下がりエッジよりも時間的に遅くなるようにし、維持電極ＳＵ１〜ＳＵｎへ印加される維持パルス波形の立ち上がりエッジが、走査電極ＳＣ１〜ＳＣｎへ印加した維持パルス波形の立ち下がりエッジよりも時間的に遅くなるようにして、走査電極ＳＣ１〜ＳＣｎへ印加された維持パルス電圧の立ち上がり時、および維持電極ＳＵ１〜ＳＵｎへ印加された維持パルス電圧の立ち上がり時に、放電セルに印加される電圧が放電開始電圧よりも大きくなる構成を説明したが、例えば、次のような構成としても同様の効果を得ることができる。
【００８０】
図８は、本発明の実施の形態１におけるプラズマディスプレイ装置の走査電極駆動回路５および維持電極駆動回路６によって印加される、維持期間初期における走査電極ＳＣ１〜ＳＣｎ、維持電極ＳＵ１〜ＳＵｎへの維持パルス波形の他の一例を示した拡大図である。
【００８１】
図８に示すように、維持期間において、まず、走査電極ＳＣ１〜ＳＣｎを一旦０（Ｖ）に戻す。このとき、維持電極ＳＵ１〜ＳＵｎは、初期化期間後半部から正電圧Ｖｅに保たれたままなので、維持電極ＳＵ１〜ＳＵｎから走査電極ＳＣ１〜ＳＣｎへは−Ｖｅの電位差が発生する。次に、維持電極ＳＵ１〜ＳＵｎを０（Ｖ）に戻すと、維持電極ＳＵ１〜ＳＵｎから走査電極ＳＣ１〜ＳＣｎへの電位差は０（Ｖ）となる。その後、走査電極ＳＣ１〜ＳＣｎに正の維持パルス電圧ＶｓＡを印加すると、維持電極ＳＵ１〜ＳＵｎから走査電極ＳＣ１〜ＳＣｎへはＶｓＡの電位差が発生し、さらに、書込み期間において書込み放電を起こした放電セルＣｐ，ｑにおいて蓄積された走査電極ＳＣｐ上部の正電圧と維持電極ＳＵｐ上部の負電圧とが加算されて、放電開始電圧より大きくなり、１回目の維持放電が発生する。そして、維持放電を起こした放電セルＣｐ，ｑでは、維持放電発生時における走査電極ＳＣＰと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。なお、ここまでの動作は、図７に示した構成と同様である。
【００８２】
１回目の維持放電の後、維持パルス電圧ＶｓＢを維持電極ＳＵ１〜ＳＵｎに印加すると、維維持電極ＳＵ１〜ＳＵｎから走査電極ＳＣ１〜ＳＣｎへの電位差はＶｓＡ−ＶｓＢとなる。その後、走査電極ＳＣ１〜ＳＣｎを０（Ｖ）に戻すと、維持電極ＳＵ１〜ＳＵｎから走査電極ＳＣ１〜ＳＣｎへは−ＶｓＢの電位差が発生し、さらに、１回目の維持放電を起こした放電セルＣｐ，ｑにおいて蓄積された走査電極ＳＣｐ上部の負電圧と維持電極ＳＵｐ上部の正電圧とが加算されて、放電開始電圧より大きくなり、２回目の維持放電が発生する。以降同様に、走査電極ＳＣ１〜ＳＣｎと維持電極ＳＵ１〜ＳＵｎとに維持パルス電圧を交互に印加することにより、書込み放電を起こした放電セルＣｐ，ｑに対して維持パルスの回数だけ維持放電が継続して行われる。
【００８３】
このように、走査電極ＳＣ１〜ＳＣｎへ印加される維持パルス波形の立ち上がりエッジが、維持電極ＳＵ１〜ＳＵｎへ印加した維持パルス波形の立ち下がりエッジよりも時間的に遅くなるようにし、かつ走査電極ＳＣ１〜ＳＣｎへ印加した維持パルス波形の立ち下がりエッジが、維持電極ＳＵ１〜ＳＵｎへ印加される維持パルス波形の立ち上がりエッジよりも時間的に遅くなるように走査電極ＳＣ１〜ＳＣｎおよび維持電極ＳＵ１〜ＳＵｎを駆動して、走査電極ＳＣ１〜ＳＣｎへ印加された維持パルス電圧の立ち下がり時、および立ち上がり時に、放電セルに印加される電圧が放電開始電圧よりも大きくなるような構成とすることで、上述と同様の効果を得ることができる。
【００８４】
さらに、この構成では、維持電極ＳＵ１〜ＳＵｎへ印加する維持パルス波形の立ち上がりエッジおよび立ち下がりエッジよりも傾きの急峻な、走査電極ＳＣ１〜ＳＣｎへ印加する維持パルス波形の立ち上がりエッジおよび立ち下がりエッジの双方において、放電セルへの印加電圧を放電開始電圧よりも大きくすることができるので、さらに安定して維持放電を発生させることが可能となる。
【００８５】
また、本発明の実施の形態１では、走査電極ＳＣ１〜ＳＣｎへ印加する維持パルス電圧ＶｓＡを維持電極ＳＵ１〜ＳＵｎへ印加する維持パルス電圧ＶｓＢよりも高い電圧値とした構成を説明したが、例えば、維持電極ＳＵ１〜ＳＵｎへ印加する維持パルス電圧ＶｓＢを走査電極ＳＣ１〜ＳＣｎへ印加する維持パルス電圧ＶｓＡよりも高い電圧値とする構成とすることも可能である。
【００８６】
図９は、本発明の実施の形態１におけるプラズマディスプレイ装置の走査電極駆動回路５および維持電極駆動回路６によって印加される、維持期間初期における走査電極ＳＣ１〜ＳＣｎ、維持電極ＳＵ１〜ＳＵｎへの維持パルス波形のさらに他の一例を示した拡大図である。
【００８７】
図９に示すように、維持期間では、まず、走査電極ＳＣ１〜ＳＣｎを一旦０（Ｖ）に戻す。このとき、維持電極ＳＵ１〜ＳＵｎは、初期化期間後半部から正電圧Ｖｅに保たれたままなので、維持電極ＳＵ１〜ＳＵｎから走査電極ＳＣ１〜ＳＣｎへは−Ｖｅの電位差が発生する。次に、走査電極ＳＣ１〜ＳＣｎに正の維持パルス電圧ＶｓＡを印加すると、維持電極ＳＵ１〜ＳＵｎから走査電極ＳＣ１〜ＳＣｎへはＶｓＡ−Ｖｅの電位差が発生する。その後、維持電極ＳＵ１〜ＳＵｎを０（Ｖ）に戻すと、維持電極ＳＵ１〜ＳＵｎから走査電極ＳＣ１〜ＳＣｎへはＶｓＡの電位差が発生し、さらに、書込み期間において書込み放電を起こした放電セルＣｐ，ｑにおいて蓄積された走査電極ＳＣｐ上部の正電圧と維持電極ＳＵｐ上部の負電圧とが加算されて、放電開始電圧より大きくなり、１回目の維持放電が発生する。そして、維持放電を起こした放電セルＣｐ，ｑでは、維持放電発生時における走査電極ＳＣＰと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。
【００８８】
１回目の維持放電の後、走査電極ＳＣ１〜ＳＣｎに印加する維持パルス電圧ＶｓＡよりも高い維持パルス電圧ＶｓＢを維持電極ＳＵ１〜ＳＵｎに印加する。このとき、走査電極ＳＣ１〜ＳＣｎは、正電圧ＶｓＡに保たれたままなので、維持電極ＳＵ１〜ＳＵｎから走査電極ＳＣ１〜ＳＣｎへはＶｓＡ−ＶｓＢの電位差が発生する。その後、走査電極ＳＣ１〜ＳＣｎを０（Ｖ）に戻すと、維持電極ＳＵ１〜ＳＵｎから走査電極ＳＣ１〜ＳＣｎへは−ＶｓＢの電位差が発生し、さらに、１回目の維持放電を起こした放電セルＣｐ，ｑにおいて蓄積された走査電極ＳＣｐ上部の負電圧と維持電極ＳＵｐ上部の正電圧とが加算されて、放電開始電圧より大きくなり、２回目の維持放電が発生する。以降同様に、走査電極ＳＣ１〜ＳＣｎと維持電極ＳＵ１〜ＳＵｎとに維持パルス電圧を交互に印加することにより、書込み放電を起こした放電セルＣｐ，ｑに対して維持パルスの回数だけ維持放電が継続して行われる。
【００８９】
このように、維持電極ＳＵ１〜ＳＵｎへ印加する維持パルス電圧ＶｓＢを走査電極ＳＣ１〜ＳＣｎへ印加する維持パルス電圧ＶｓＡよりも高い電圧値とすることで、維持電極ＳＵ１〜ＳＵｎへ印加した維持パルス波形の立ち下がりエッジを、走査電極ＳＣ１〜ＳＣｎへ印加する維持パルス波形の立ち上がりエッジよりも急峻にしている。そして、維持電極ＳＵ１〜ＳＵｎへ印加した維持パルス波形の立ち下がりエッジが、走査電極ＳＣ１〜ＳＣｎへ印加する維持パルス波形の立ち上がりエッジよりも時間的に遅くなるように走査電極ＳＣ１〜ＳＣｎおよび維持電極ＳＵ１〜ＳＵｎを駆動することで、維持電極ＳＵ１〜ＳＵｎに印加された維持パルス電圧の立ち下がり時に、走査電極ＳＣｐと維持電極ＳＵｐとの電位差と放電セル内に形成された壁電圧との加算電圧が放電開始電圧よりも大きくなるようにすることができる。このような構成とすることで、維持電極ＳＵ１〜ＳＵｎへ印加する維持パルス電圧ＶｓＢを走査電極ＳＣ１〜ＳＣｎへ印加する維持パルス電圧ＶｓＡよりも高い電圧値としても、上述と同様の効果を得ることができる。
【００９０】
なお、この構成ではＶｓＡを１７０（Ｖ）、ＶｓＢを１９０（Ｖ）程度としているが、これらの値は、ＰＤＰの特性や駆動回路の構成等により最適な値が異なるため、実験等により適宜求めた最適な値とすることが望ましい。
【００９１】
また、本発明の実施の形態１では、維持電極ＳＵ１〜ＳＵｎへ印加する維持パルス電圧ＶｓＢを走査電極ＳＣ１〜ＳＣｎへ印加する維持パルス電圧ＶｓＡよりも高い電圧値とする場合に、次のような構成とすることも可能である。
【００９２】
図１０は、本発明の実施の形態１におけるプラズマディスプレイ装置の走査電極駆動回路５および維持電極駆動回路６によって印加される、維持期間初期における走査電極ＳＣ１〜ＳＣｎ、維持電極ＳＵ１〜ＳＵｎへの維持パルス波形のさらに他の一例を示した拡大図である。
【００９３】
図１０に示すように、維持期間では、まず、走査電極ＳＣ１〜ＳＣｎを一旦０（Ｖ）に戻す。このとき、維持電極ＳＵ１〜ＳＵｎは、初期化期間後半部から正電圧Ｖｅに保たれたままなので、維持電極ＳＵ１〜ＳＵｎから走査電極ＳＣ１〜ＳＣｎへは−Ｖｅの電位差が発生する。次に、走査電極ＳＣ１〜ＳＣｎに正の維持パルス電圧ＶｓＡを印加すると、維持電極ＳＵ１〜ＳＵｎから走査電極ＳＣ１〜ＳＣｎへはＶｓＡ−Ｖｅの電位差が発生する。その後、維持電極ＳＵ１〜ＳＵｎを０（Ｖ）に戻すと、維持電極ＳＵ１〜ＳＵｎから走査電極ＳＣ１〜ＳＣｎへはＶｓＡの電位差が発生し、さらに、書込み期間において書込み放電を起こした放電セルＣｐ，ｑにおいて蓄積された走査電極ＳＣｐ上部の正電圧と維持電極ＳＵｐ上部の負電圧とが加算されて、放電開始電圧より大きくなり、１回目の維持放電が発生する。そして、維持放電を起こした放電セルＣｐ，ｑでは、維持放電発生時における走査電極ＳＣＰと維持電極ＳＵｐとの電位差を打ち消すように走査電極ＳＣｐ上部に負電圧が蓄積され、維持電極ＳＵｐ上部に正電圧が蓄積される。こうして、１回目の維持放電が終了する。なお、ここまでの動作は、図９に示した構成と同様である。
【００９４】
１回目の維持放電の後、走査電極ＳＣ１〜ＳＣｎを０（Ｖ）に戻す。これにより、維持電極ＳＵ１〜ＳＵｎから走査電極ＳＣ１〜ＳＣｎへの電位差は０（Ｖ）となる。次に、ＶｓＡよりも高い電圧ＶｓＢを維持電極ＳＵ１〜ＳＵｎに印加すると、維持電極ＳＵ１〜ＳＵｎから走査電極ＳＣ１〜ＳＣｎへは−ＶｓＢの電位差が発生し、さらに、１回目の維持放電を起こした放電セルＣｐ，ｑにおいて蓄積された走査電極ＳＣｐ上部の負電圧と維持電極ＳＵｐ上部の正電圧とが加算されて、放電開始電圧より大きくなり、２回目の維持放電が発生する。以降同様に、走査電極ＳＣ１〜ＳＣｎと維持電極ＳＵ１〜ＳＵｎとに維持パルス電圧を交互に印加することにより、書込み放電を起こした放電セルＣｐ，ｑに対して維持パルスの回数だけ維持放電が継続して行われる。
【００９５】
このように、維持電極ＳＵ１〜ＳＵｎへ印加する維持パルス電圧ＶｓＢを走査電極ＳＣ１〜ＳＣｎへ印加する維持パルス電圧ＶｓＡよりも高い電圧値とすることで、維持電極ＳＵ１〜ＳＵｎへ印加した維持パルス波形の立ち上がりエッジおよび立ち下がりエッジを、走査電極ＳＣ１〜ＳＣｎへ印加する維持パルス波形の立ち上がりエッジおよび立ち下がりエッジよりも急峻にしている。そして、維持電極ＳＵ１〜ＳＵｎへ印加した維持パルス波形の立ち下がりエッジが、走査電極ＳＣ１〜ＳＣｎへ印加する維持パルス波形の立ち上がりエッジよりも時間的に遅くなるようにし、かつ、維持電極ＳＵ１〜ＳＵｎへ印加した維持パルス波形の立ち上がりエッジが、走査電極ＳＣ１〜ＳＣｎへ印加する維持パルス波形の立ち下がりエッジよりも時間的に遅くなるように走査電極ＳＣ１〜ＳＣｎおよび維持電極ＳＵ１〜ＳＵｎを駆動することで、維持電極ＳＵ１〜ＳＵｎに印加された維持パルス電圧の立ち下がり時および立ち上がり時に、走査電極ＳＣｐと維持電極ＳＵｐとの電位差と放電セル内に形成された壁電圧との加算電圧が放電開始電圧よりも大きくなるような構成とすることで、上述と同様の効果を得ることができる。
【００９６】
さらに、この構成では、走査電極ＳＣ１〜ＳＣｎへ印加する維持パルス波形の立ち上がりエッジおよび立ち下がりエッジよりも傾きの急峻な、維持電極ＳＵ１〜ＳＵｎへ印加する維持パルス波形の立ち上がりエッジおよび立ち下がりエッジの双方において、放電セルへの印加電圧を放電開始電圧よりも大きくすることができるので、さらに安定して維持放電を発生させることが可能となる。
【００９７】
以上説明したように、本発明の実施の形態においては、消費電力を低減するために共振回路を利用した駆動回路によって電極の駆動を行う場合に、走査電極ＳＣ１〜ＳＣｎに印加する維持パルス電圧と維持電極ＳＵ１〜ＳＵｎに印加する維持パルス電圧とを互いに異なる電圧値とし、電圧値の高い方の維持パルス電圧印加時の立ち上がりエッジまたは立ち下がりエッジの少なくとも一方において放電セルＣｐ，ｑへの印加電圧が放電開始電圧を超えるような構成としているので、維持放電発生時における走査電極ＳＣｐと維持電極ＳＵｐとの電位差を、以降の維持放電の発生に十分な壁電圧を放電セルＣｐ，ｑ内に形成できるだけの電位差とすることができ、安定した維持放電を実現することが可能となる。
【産業上の利用可能性】
【００９８】
本発明に係るプラズマディスプレイ装置およびＰＤＰの駆動方法によれば、共振回路を利用した駆動回路によって電極の駆動を行う場合に、維持期間における少なくとも最初の維持放電において、それ以降の維持放電を安定して発生させるに十分な壁電圧を放電セル内に安定して形成することができ、それ以降の維持放電を安定して発生させることができるので、プラズマディスプレイ装置およびＰＤＰの駆動方法として有用である。
【図面の簡単な説明】
【００９９】
【図１】本発明の実施の形態１におけるプラズマディスプレイ装置のＰＤＰの構造を示す分解斜視図
【図２】同プラズマディスプレイ装置のＰＤＰの電極配列図
【図３】同プラズマディスプレイ装置の電気的構成を示すブロック図
【図４】同プラズマディスプレイ装置のＰＤＰの各電極への駆動電圧波形を示す図
【図５】同プラズマディスプレイ装置の走査電極駆動回路に備えられた維持パルス発生回路の回路図
【図６】同プラズマディスプレイ装置の走査電極駆動回路に備えられた維持パルス発生回路の維持パルスの電圧波形とＦＥＴの導通状態を示す図
【図７】同プラズマディスプレイ装置の走査電極駆動回路および維持電極駆動回路によって印加される、維持期間初期における走査電極、維持電極への維持パルス波形の拡大図
【図８】同プラズマディスプレイ装置の走査電極駆動回路および維持電極駆動回路によって印加される、維持期間初期における走査電極、維持電極への維持パルス波形の他の一例を示した拡大図
【図９】同プラズマディスプレイ装置の走査電極駆動回路および維持電極駆動回路によって印加される、維持期間初期における走査電極、維持電極への維持パルス波形のさらに他の一例を示した拡大図
【図１０】同プラズマディスプレイ装置の走査電極駆動回路および維持電極駆動回路によって印加される、維持期間初期における走査電極、維持電極への維持パルス波形のさらに他の一例を示した拡大図
【符号の説明】
【０１００】
１    ＡＤコンバータ
２    映像信号処理回路
３    サブフィールド処理回路
４    データ電極駆動回路
５    走査電極駆動回路
６    維持電極駆動回路
１０    プラズマディスプレイパネル（ＰＤＰ）
２０    （ガラス製の）前面板
２２    走査電極
２３    維持電極
２４，３３    誘電体層
２５    保護層
３０    背面板
３２    データ電極
３４    隔壁
３５    蛍光体層
５１，６１    維持パルス発生回路
１３０    タイミング制御回路
４１０    電力回収部
４１１    回収コンデンサ
４１２    コイル
４２０    電圧クランプ部
４２１    維持電源
４３１，４３２，４３３，４３４    スイッチング素子（ＦＥＴ）
４３５，４３６    逆流防止用ダイオード
【図１】
2006259061.tif 000003
【図２】
2006259061.tif 000004
【図３】
2006259061.tif 000005
【図４】
2006259061.tif 000006
【図５】
2006259061.tif 000007
【図６】
2006259061.tif 000008
【図７】
2006259061.tif 000009
【図８】
2006259061.tif 000010
【図９】
2006259061.tif 000011
【図１０】
2006259061.tif 000012